(57)【要約】【課題】換気構造の新規な設計によって、より小さい体積の換気ファンを提供することを課題とする。【解決手段】本発明の換気ファンは、換気構造とファンを備える。換気構造は外フレームと、接続部材と、遮蔽部材とを備える。外フレームは収容スペースと開口部を有する。接続部材は収容スペースに設置され、接続部材は少なくとも一つの第一接続部を有する。遮蔽部材は蓋板と少なくとも一つの第二接続部を有し、蓋板は開口部の一方の側に対応設置される。また、第一接続部と第二接続部は対応設置され、ファンは開口部の他方の側に対応設置される。【選択図】図３
2015040694.tif 000002
【特許請求の範囲】
【請求項１】
収容スペースと開口部を有する外フレームと、少なくとも一つの第一接続部を有し、前記収容スペースに設置される接続部材と、蓋板と少なくとも一つの第二接続部を有し、前記蓋板は前記開口部の一方の側に対応設置され、前記第一接続部と前記第二接続部は対応設置される遮蔽部材と、から成る換気構造と、
前記開口部の他方の側に対応して設置されるファンと、
を備えることを特徴とする換気ファン。
【請求項２】
前記接続部材は環形の側壁を有し、前記第一接続部はスライドレールにより構成され、前記スライドレールは前記側壁上に傾斜設置され、前記第二接続部は凸部であり、前記凸部は前記スライドレールに対応設置され、且つ前記スライドレールに沿って摺動可能に成したことを特徴とする請求項１に記載の換気ファン。
【請求項３】
前記スライドレールの両端、または前記スライドレールの傾斜経路には緩衝エリアを有し、それを介して前記換気構造が多段式の開閉機能を備えることを特徴とする請求項２に記載の換気ファン。
【請求項４】
前記遮蔽部材は環形フレームと複数のリブを備え、前記環形フレームは前記蓋板と平行に設けられ、前記複数のリブは前記蓋板と前記環形フレームとを連結するように設けられ、前記第二接続部は前記環形フレームまたは前記リブ上に設置されることを特徴とする請求項１に記載の換気ファン。
【請求項５】
前記接続部材は操作レバーを有し、前記操作レバーは前記接続部材の側壁から前記外フレームの外側まで延伸され、前記外フレームは制限エリアを有し、前記制限エリアは前記操作レバーを収容し及び／又は前記操作レバーの作動範囲を制限することを特徴とする請求項１に記載の換気ファン。
【請求項６】
前記換気構造は固定部材を更に備え、
前記固定部材は前記外フレームに設置されると共に、ストッパー板と少なくとも一つの回転規制部を有し、前記遮蔽部材の一部は前記回転規制部に収容され、前記ストッパー板は前記外フレームに設置されることを特徴とする請求項１に記載の換気ファン。
【請求項７】
前記外フレームにおける前記ファンと反対側に設けられるカバーを更に備え、
前記遮蔽部材は少なくとも一つの第三接続部を有し、前記第三接続部は前記蓋板に設置され前記カバーに接続されることを特徴とする請求項１に記載の換気ファン。
【発明の詳細な説明】
【技術分野】
【０００１】
本発明は換気ファンに関するものであり、特に、換気ファンの換気構造に関するものである。
【背景技術】
【０００２】
一般的に言えば、換気ファンは家庭やオフィス内に設置され、そのファンの作動によって、屋外の新鮮な空気を室内に提供し、または低酸素の空気を室内から室外に排出することができる。しかしながら、緯度が高く、且つ寒い地域において使用される換気ファンは、遮蔽や保護するための換気構造を備える必要がある。そのような換気構造としては、通常、換気ファンの吸入/排出口の外側に開閉できるカバーを増設し、夏期にはカバーを開くことで、室内と室外の空気の流通を換気ファンによって促進、強化させると共に、冬期にはカバーを閉じることで、冷気が吸入/排出口から室内に入るのを防止することができ、更にまた、屋外の埃が室内に入るのを避けることができるようになっている。
【０００３】
したがって、換気ファンの設計は、カバーを開閉可能で密閉性の高い構造に設計しなければならない。従来、カバーの開閉機構としては、リンクシャフト、カム、歯車等の機械要素を組み合わせて設計が行われ、カムや歯車などを使用することで、カバーを吸入/排出口の先端部でスライド移動させることができるようになっている。しかしながら、このタイプの機構では、開いた時のカバーの配置のために、更に多くのスペースが必要となり、換気ファン全体としての体積が大きくなるというデメリットがある。また、カムや歯車に付随して使用する部品の数も増加するため、組み立て作業も更に複雑になりやすい。
【０００４】
更にまた、換気ファンの体積を小さくするために、リンクシャフトを用いて開閉カバーをファンの吸入/排出口の先端部で上下に回動させるようにしたものも普及している。しかしながら、このタイプの換気ファンは依然として多数の部品を使用しなければならないので、上記と同様に組み立て作業が複雑になる。また、リンクシャフトの構造は脆弱なため、過度の外力等により故障しやすいという問題もある。
【発明の概要】
【発明が解決しようとする課題】
【０００５】
上記課題に鑑み、本発明の目的は、換気構造の新規な設計によって、より小さい体積の換気ファンを提供することを課題とする。
【課題を解決するための手段】
【０００６】
上記目的を達成するために、本発明に基づいた換気ファンは、
収容スペースと開口部を有する外フレームと、少なくとも一つの第一接続部を有し、前記収容スペースに設置される接続部材と、蓋板と少なくとも一つの第二接続部を有し、前記蓋板は前記開口部の一方の側に対応設置され、前記第一接続部と前記第二接続部は対応設置される遮蔽部材と、から成る換気構造と、
前記開口部の他方の側に対応して設置されるファンと、
を備えることを特徴とする。
【０００７】
本発明の一実施例において、前記接続部材は環形の側壁を有し、前記第一接続部はスライドレールにより構成され、前記スライドレールは前記側壁上に傾斜設置され、前記第二接続部は凸部であり、前記凸部は前記スライドレールに対応設置され、且つ前記スライドレールに沿って摺動可能に構成される。
【０００８】
本発明の一実施において、前記スライドレールの両端、または前記スライドレールの傾斜経路には緩衝エリアを有し、それを介して前記換気構造が多段式の開閉機能を備えるように構成される。
【０００９】
本発明の一実施例において、前記遮蔽部材は環形フレームと複数のリブを備え、前記環形フレームは前記蓋板と平行に設けられ、前記複数のリブは前記蓋板と前記環形フレームとを連結するように設けられ、前記第二接続部は前記環形フレームまたは前記リブ上に設置される。
【００１０】
本発明の一実施例において、前記接続部材は操作レバーを有し、前記操作レバーは前記接続部材の側壁から前記外フレームに延伸され、前記外フレームは制限エリアを有し、前記制限エリアは前記操作レバーを収容し及び／又は前記操作レバーの作動範囲を制限する。
【００１１】
本発明の一実施例において、前記換気構造は固定部材を更に備え、前記固定部材は前記外フレームに設置されると共に、ストッパー板と少なくとも一つの回転規制部を有し、前記遮蔽部材の一部は前記回転規制部に収容され、前記ストッパー板は前記外フレームに設置される。
【００１２】
本発明の一実施例において、前記外フレームにおける前記ファンと反対側に設けられるカバーを更に備え、前記遮蔽部材は少なくとも一つの第三接続部を有し、前記第三接続部は前記蓋板に設置され前記カバーに接続される。
【００１３】
本発明の一実施例において、第三接続部はねじロックの方式によってカバーに接続される。
【００１４】
本発明の一実施例において、遮蔽部材とカバーは螺合、係合、リベット、或は締まり嵌めの方式によって接続される。
【発明の効果】
【００１５】
上述したように、本発明の換気ファンは換気構造とファンとから構成される。換気構造は外フレームと、環形の接続部材と、遮蔽部材とを有し、環形の接続部材と遮蔽部材は外フレームに収容されるようになっている。このような環形の接続部材と遮蔽部材の構造上の新規な設計によって、蓋板を有する遮蔽部材を前記環形の接続部材の操作により移動させ、前記換気構造を開いたり閉じたりすることで、空気を外フレームの開口部により流通させたり、或は、蓋板で開口部を閉じることによって、空気の流通を遮断することができる。
このように、環形の接続部材と遮蔽部材を外フレーム内に直接収容することによって、使用スペースを省くことができる。換気構造が閉じた状態にある場合は、換気構造全体を最低限の高さ（厚さ）まで縮小することができ、外観的にも薄くスマートな状態にすることができる。また、遮蔽部材の蓋板により、外フレームの開口部を閉じることで、換気構造を閉じさせることができるため、わずかな部品を使用するだけで開閉操作が可能となり、従来換気扇がより多数の部品を使用しなければならなかった問題を解決でき、更に従来換気扇の組み立て作業の複雑度を簡略化することができる。
【００１６】
また、固定部材は遮蔽部材を外フレームに固定し、且つその動きを制限する。環形の接続部材を水平方向へ回動させるように操作することで、遮蔽部材を垂直方向（軸方向）に上下移動させることができ、換気構造を開閉させることができる。遮蔽部材は垂直方向だけに移動する。そうすることで、換気構造をより効率よく開閉動作させることができる。
【００１７】
また、第一接続部は傾斜したスライドレールとして構成され、第二接続部はこれに摺接する凸部として構成される。凸部は傾斜したスライドレール内で滑る設計によって、より強い構造強度を持つ。
【図面の簡単な説明】
【００１８】
【図１Ａ】本発明の一実施例に係る換気ファンの組み立て立体図である。
【図１Ｂ】図１Ａに示す換気ファンを別の角度から見た組み立て立体図である。
【図２】図１Ａに示す換気ファンの分解斜視図である。
【図３】図１Ａに示す換気構造の一部の分解概略図である。
【図４Ａ】図２に示す環形の接続部材と遮蔽部材の立体図である。
【図４Ｂ】図４Ａに示す環形の接続部材と遮蔽部材を組み立てた立体図である。
【図４Ｃ】図４Ｂに示す環形の接続部材と遮蔽部材の組み立て作動概略図である。
【図５Ａ】図２に示す換気ファンのカバーが含まれない状態の概略図である。
【図５Ｂ】図５Ａに示す換気ファンの閉じた状態の概略図である。
【発明を実施するための形態】
【００１９】
関連する図面を参照しながら、本発明の好ましい実施例に係る換気ファンを以下の通りに説明し、このうち同じ部材は同じ符号を付して説明する。
【実施例】
【００２０】
図１Ａは本発明の一実施例に係る換気ファンの組み立て立体図であり、図１Ｂは図１Ａに示す換気ファンを別の角度から見た組み立て立体図である。図１Ａと図１Ｂを同時に参考されたい。本発明の換気ファンＦは、換気構造１とファン２を備え、ファン２の片側に換気構造１を取り付ける。詳しく言えば、図２に示すように（図２は図１Ａに示す換気ファンの分解斜視図である）、換気構造１は外フレーム１１と、接続部材１２と、遮蔽部材１３とを備える。外フレーム１１は収容スペース１１１と開口部１１２を有する。接続部材１２は環形の構造であり、収容スペース１１１は接続部材１２を収容するために用いられる。言い換えれば、接続部材１２は収容スペース１１１に設置されるので、収容スペース１１１の形状は接続部材１２と同様に環形であり、且つ溝の構造である。また、接続部材１２と遮蔽部材１３の高さと収容スペース１１１の深さは同じであるため、接続部材１２と遮蔽部材１３を完全に外フレーム１１の中に収容させることができる。また、ファン２はハウジング２１と羽根構造２２（図１Ｂを参考）を更に備え、羽根構造２２はハウジング２１の一方の側に設置される。ハウジング２１全体の形状は外フレーム１１に合わせることで、ファン２はハウジング２１によって外フレーム１１と組み立てることができる。なお、羽根構造２２の設置位置は外フレーム１１の開口部１１２に対応する。
【００２１】
図３は図１Ａに示す換気構造の一部の分解概略図である。図３に示すように、接続部材１２は少なくとも一つの第一接続部１２１を有する。本実施例において、接続部材１２は側壁１２２を有し、第一接続部１２１はスライドレールであり、スライドレールは側壁１２２上に傾斜設置される。また、本発明は第一接続部１２１の数を限定せず、詳しく言えば、一つの傾斜したスライドレールは一つの第一接続部１２１とみなす。即ち、図３に示すＡ−Ａエリアは一つの第一接続部１２１とみなす。本実施例に係る接続部材１２は、構造の安定性を維持するため（この部分は後に詳しく述べる）、六つの第一接続部１２１を有する。
【００２２】
組み立てた後、遮蔽部材１３と接続部材１２は共に外フレーム１１に設置され、遮蔽部材１３は蓋板１３１と少なくとも一つの第二接続部１３２を有する。蓋板１３１は開口部１１２の一方の側に対応設置され、第二接続部１３２は接続部材１２の第一接続部１２１に対応設置され、ファン２は開口部１１２の他方の側に対応設置される。本実施例において、遮蔽部材１３は環形フレーム１３３と複数のリブ１３４を有し、環形フレーム１３３は蓋板１３１と平行に設けられ、リブ１３４は蓋板１３１と環形フレーム１３３とを連結するように設けられる。第二接続部１３２は環形フレーム１３３またはリブ１３４上に設置される。本実施例に係る遮蔽部材１３は三本のリブ１３４を有し、蓋板１３１と環形フレーム１３３に堅固に接続される。一方、第二接続部１３２は環形フレーム１３３とリブ１３４の底縁にそれぞれ設置される。また、接続部材１２が六つの第一接続部１２１を有することに対応して、本実施例に係る遮蔽部材１３も六つの第二接続部１３２を有する。
【００２３】
また、第一接続部１２１はスライドレールであることに対応して、本実施例に係る第二接続部１３２は凸部であり、第二接続部１３２は第一接続部１２１に対応設置される。即ち、凸部はスライドレールに対応設置され、且つスライドレールに沿って滑るように構成される。本発明において第一接続部１２１と第二接続部１３２の形態は限定されず、その他の実施例においては、例えば第一接続部１２１は凸部であり、第二接続部１３２はスライドレールの形態とされるが、本発明はこれに限定されない。
【００２４】
図４Ａは図２に示す環形の接続部材と遮蔽部材の立体図であり、図４Ｂは図４Ａに示す環形の接続部材と遮蔽部材を組み立てた概略図であり、図４Ｃは図４Ｂに示す環形の接続部材と遮蔽部材の組み立て作動概略図である。図３と図４Ａから図４Ｃを同時に参考されたい。接続部材１２と遮蔽部材１３は組み立てた後、これらは共に、外フレーム１１の収容スペース１１１に収容される。図面を明確に示すために、図４Ａから図４Ｃでは外フレーム１１を示しておらず、図４Ａは接続部材１２と遮蔽部材１３の分解図であり、図４Ｂと図４Ｃは接続部材１２と遮蔽部材１３を組み立てた図のみを示す。また、図４Ｂは換気構造１が開いた場合の接続部材１２と遮蔽部材１３の相対関係を示し、それに対して図４Ｃは換気構造１が閉じた場合を示す。これより、図４Ａから図４Ｃを併せて参照しつつ、接続部材１２と遮蔽部材１３の相対的な作動関係を更に説明する。換気構造１が開いた場合、第二接続部１３２は第一接続部１２１の最高点にあり、即ち、図４Ａと図４Ｂに示す位置Ｂにある。また、第二接続部１３２は環形フレーム１３３またはリブ１３４の底縁に設置されるため、遮蔽部材１３は接続部材１２の頂縁に取り付けられ、空気はリブ１３４の間隔設置によって形成されたスペースＳを通じて換気構造１に出入りすることができる（図２を同時に参考されたい）。詳しく言えば、仮に、換気ファンＦを給気ファンとした場合、屋外の新鮮な空気はリブ１３４の間隔設置によって形成されたスペースＳから換気構造１に入り、ファン２によって新鮮な空気を室内に提供することができる。仮に、換気ファンＦを排気ファンとした場合、室内の低酸素の空気をファン２と換気構造１を通じて屋外に排出することができる。換気ファンＦが給気ファンか排気ファンかは羽根構造２２の回転方向によって決められるため、ここで繰り返して述べない。
【００２５】
本実施例に係る第一接続部１２１は傾斜したスライドレールであるため、遮蔽部材１３の第二接続部１３２は第一接続部１２１の最高点から最低点に滑ることができる。即ち、図４Ｂに示す位置Ｂから図４Ｃに示す位置Ｃまで滑ることができ、位置Ｃに達した時、蓋板１３１の位置は第一接続部１２１の頂縁と同じ位置となり、外フレーム１１の開口部１１２を更に閉じさせ（図３参照）、空気を換気構造１で流通させないことで、密閉の効果を達成する。好ましいのは図４Ａに示すように、本実施例に係る第一接続部１２１は傾斜したスライドレールとし、スライドレールの前後両端にはそれぞれ緩衝エリア１２１ａ、１２１ｂを設けるようにする。換気構造１が開いた状態である場合、即ち、第二接続部１３２が第一接続部１２１の最高点にある時、第二接続部１３２は緩衝エリア１２１ａの範囲内に移動することができる。これにより、最低点（即ち、緩衝エリア１２１ｂ）に直ちに滑って移動することがないため、換気構造１は開いた状態を維持することができ、震動によって閉じられることを避けることができる。その他の実施例において、スライドレールが傾斜する経路の途中に、複数の緩衝エリアを更に増設することによって、換気構造１が多段式の開閉機能を有するように構成することができる。
【００２６】
また、第二接続部１３２ａと１３２ｂを第一接続部１２１の上側と下側に間隔を持って設置することによって、接続部材１２と遮蔽部材１３の接続関係を更に堅固にすることができる。即ち、図４Ｂに示すように、第二接続部１３２ａは第一接続部１２１の上側に設置し、第二接続部１３２ｂは第一接続部１２１の下側に設置することにより、第二接続部１３２ａと１３２ｂが第一接続部１２１の上側と下側に間隔を持って設置される形態を形成するようにする。
【００２７】
操作者が換気ファンＦ全体の外側から接続部材１２と遮蔽部材１３の相対作動を容易に制御できるようにするために、図２に示すように、接続部材１２に操作レバー１２３を更に設け、操作レバー１２３は接続部材１２の側壁１２２から外フレーム１１の外側まで延伸されるようにする。外フレーム１１は、操作レバー１２３を収容し及び／又は操作レバー１２３の作動範囲を制限するための制限エリア１１３を更に有する。本実施例において、操作者は操作レバー１２３を反時計回り（図４Ｃの矢印に示すように）に動かしたり、時計方向に動かすことにより、接続部材１２の回転角度位置を変化させ、遮蔽部材１３を垂直方向（軸方向）Ｙに移動させることができる。
【００２８】
また、図２に示すように、換気構造１は固定部材１４とカバー１５を更に含む。図５Ａは図２に示す換気ファンのカバーが含まれない状態の概略図であり、図５Ｂは図５Ａに示す換気ファンが閉じた状態の概略図である。図５Ａと図５Ｂを同時に参考されたい。固定部材１４は外フレーム１１に設置され、固定部材１４は少なくとも一つの回転規制部１４１を有し、遮蔽部材１３の一部は回転規制部１４１に収容される。詳しく言えば、回転規制部１４１の形状は遮蔽部材１３のリブ１３４に対応し、リブ１３４を回転規制部１４１内に収容させる。また、リブ１３４は回転規制部１４１に制限され、遮蔽部材１３を垂直方向Ｙのみに上下運動させるように制限する。図４Ａと図４Ｂを参考されたい。詳しく言えば、操作レバーを操作して接続部材１２を回転させた場合、第二接続部１３２は水平方向Ｘには移動せず、傾斜した第一接続部１２１のガイド作用を受けて垂直方向（軸方向）Ｙのみに上下運動する。
【００２９】
また、図２と図５Ａに示すように、固定部材１４はストッパー板１４２を有し、このストッパー板１４２は外フレーム１１の一側部に設置される。詳しく言えば、ストッパー板１４２は外フレーム１１の制限エリア１１３を有する側部に設置され、且つ制限エリア１１３と共に操作レバー１２３の作動範囲を制限する。
【００３０】
図２に示すように、カバー１５は外フレーム１１を覆うように設置され、ファン２と反対側に設けられる。カバー１５は遮蔽部材１３に取り付けられる。即ち、遮蔽部材１３は少なくとも一つの第三接続部１３５を更に有し、第三接続部１３５は蓋板１３１に設置され、且つカバー１５に接続される。本実施例において、第三接続部１３５はねじロックの方式によってカバー１５に接続されるので、本実施例の第三接続部１３５はねじ穴である。また、第三接続部１３５に挿通されるねじ１６（図５Ｂに示すように）を更に有することで、遮蔽部材１３とカバー１５をロックさせ、カバー１５を増設することによって、換気構造１全体により好ましい閉鎖効果を達成させることができる。その他の実施例において、遮蔽部材１３とカバー１５は螺合、係合、リベット、或は締まり嵌めの方式によって接続されることができる。よって、本発明はこれに限定されない。
【００３１】
上述をまとめると、本発明の換気ファンは換気構造とファンとから構成される。換気構造は外フレームと、環形の接続部材と、遮蔽部材とを有し、環形の接続部材と遮蔽部材は外フレームに収容されるようになっている。このような環形の接続部材と遮蔽部材の構造上の新規な設計によって、蓋板を有する遮蔽部材を前記環形の接続部材の操作により移動させ、前記換気構造を開いたり閉じたりすることで、空気を外フレームの開口部により流通させたり、或は、蓋板で開口部を閉じることによって、空気の流通を遮断することができる。
このように、環形の接続部材と遮蔽部材を外フレーム内に直接収容することによって、使用スペースを省くことができる。換気構造が閉じた状態にある場合は、換気構造全体を最低限の高さ（厚さ）まで縮小することができ、外観的にも薄くスマートな状態にすることができる。また、遮蔽部材の蓋板により、外フレームの開口部を閉じることで、換気構造を閉じさせることができるため、わずかな部品を使用するだけで開閉操作が可能となり、従来換気扇がより多数の部品を使用しなければならなかった問題を解決でき、更に従来換気扇の組み立て作業の複雑度を簡略化することができる。
【００３２】
また、固定部材は遮蔽部材を外フレームに固定し、且つその動きを制限する。環形の接続部材を水平方向へ回動させるように操作することで、遮蔽部材を垂直方向（軸方向）に上下移動させることができ、換気構造を開閉させることができる。遮蔽部材は垂直方向だけに移動する。そうすることで、換気構造をより効率よく開閉動作させることができる。
【００３３】
また、第一接続部は傾斜したスライドレールとして構成され、第二接続部はこれに摺接する凸部として構成される。凸部は傾斜したスライドレール内で滑る設計によって、より強い構造強度を持つ。
【００３４】
上記実施例は例示的なものであって、本発明を限定するためのものではない。本発明の技術の思想および範囲から逸脱することなく、行われる等価の修正または変更は、いずれも別紙の特許請求の範囲に含まれる。
【産業上の利用可能性】
【００３５】
本発明は以上の如く構成したため、換気構造の新規な設計によって、より小さい体積の換気ファンを提供し得るものである。
【符号の説明】
【００３６】
１      換気構造
１１    外フレーム
１１１  収容スペース
１１２  開口部
１１３  制限エリア
１２    接続部材
１２１  第一接続部
１２１ａ、１２１ｂ  緩衝エリア
１２２  側壁
１２３  操作レバー
１３    遮蔽部材
１３１  蓋板
１３２、１３２ａ、１３２ｂ  第二接続部
１３３  環形フレーム
１３４  リブ
１３５  第三接続部
１４    固定部材
１４１  回転規制部
１４２  ストッパー板
１５    カバー
１６    ねじ
２      ファン
２１    ハウジング
２２    羽根構造
Ａ−Ａ  エリア
Ｂ、Ｃ  位置
Ｆ      換気ファン
Ｓ      スペース
Ｘ      水平方向
Ｙ      垂直方向
【図１Ａ】
2015040694.tif 000003
【図１Ｂ】
2015040694.tif 000004
【図２】
2015040694.tif 000005
【図３】
2015040694.tif 000006
【図４Ａ】
2015040694.tif 000007
【図４Ｂ】
2015040694.tif 000008
【図４Ｃ】
2015040694.tif 000009
【図５Ａ】
2015040694.tif 000010
【図５Ｂ】
2015040694.tif 000011